(57)【要約】【課題】  チューブやワイヤー等の長尺状の試料の、流体中におけるＭＲＩ視認性および適合性の評価を可能にできる試験器具および流体ファントム装置を提供する。【解決手段】  本発明は、長尺状の試料３０における流体中の画像評価を行う流体ファントム装置に用いられる試験器具２であって、試料３０が内部に収容され、一方から流入された流体を他方側から流出する容器本体３１と、容器本体３１の両端にそれぞれ設けられ、容器本体３１と容器本体３１の両側に位置する流路間をシールするシール部材３２、３３と、シール部材３２、３３に対応して設けられ、容器本体３１内で容器本体３１と接触しないように試料３０を固定する固定部３５、３６とを有する。【選択図】  図２
2011139807.tif 000002
【特許請求の範囲】
【請求項１】
長尺状の試料における流体中の画像評価を行う流体ファントム装置に用いられる試験器具であって、
前記試料が内部に収容され、一方から流入された流体を他方側から流出する容器本体と、
前記容器本体の両端にそれぞれ設けられ、前記容器本体と前記容器本体の両側に位置する流路間をシールするシール部材と、
前記シール部材に対応して設けられ、前記容器本体内で前記容器本体と接触しないように前記試料を固定する固定部と、
を有することを特徴とする試験器具。
【請求項２】
前記固定部は、
一端側に設けられ前記容器本体の断面中央付近で前記試料の一端を保持する保持部と、
他端側に設けられ前記シール部材に設けられた開口に挿入される挿入部と、
を有することを特徴とする請求項１に記載の試験器具。
【請求項３】
前記固定部は、
前記容器本体内に挿入され、前記容器本体の内側形状に合わせた形状を持つ固定部本体と、
前記固定部本体に設けられ、前記容器本体の断面中央付近において前記試料の一端を保持部と、
前記固定部本体に設けられ、前記流体が通過し易いように形成された開口と、を有することを特徴とする請求項１に記載の試験器具。
【請求項４】
前記長尺状の試料は、チューブ状の形状を有し、
前記保持部は、前記チューブ状の試料の一端に挿入され、先端に向かって先細りのテーパー形状を有することを特徴とする請求項２または請求項３に記載の試験器具。
【請求項５】
前記長尺状の試料は、ワイヤー状の形状を有し、
前記保持部は、前記ワイヤー状の試料の一端が挿入される開口穴を有することを特徴とする請求項２または請求項３に記載の試験器具。
【請求項６】
磁気共鳴画像診断装置における画像評価を行うための流体ファントム装置であって、
請求項１から請求項５のいずれか一項に記載の試験器具と、
前記試験器具に送り込む流体を貯留するタンクと、
前記タンクから前記試験器具内の送り込む流体を制御する制御部と、
を有することを特徴とするファントム装置。
【請求項７】
流体ファントム装置を用いた長尺状の試料の流体中における画像評価を行う試験方法であって、
前記試料が内部に収容され、一方から流入された流体を他方側から流出する容器本体と、
前記容器本体の両端にそれぞれ設けられ、前記容器本体と前記容器本体の両側に位置する流路間をシールするシール部材と、
前記シール部材に対応して設けられ、前記容器本体内で前記容器本体と接触しないように前記試料を固定する固定部と、
を有する試験器具を用いることを特徴とする試料の流体中における画像評価を行う試験方法。
【発明の詳細な説明】
【技術分野】
【０００１】
本発明は、試験器具、流体ファントム装置および試験方法に関するものである。
【背景技術】
【０００２】
近年、外科領域において、より正確かつ安全で低侵襲な診断、治療のために、画像診断機器で病変部を観察しながら手技を行う「画像ガイド下手術」が注目されている。
【０００３】
とくに、画像診断機器に磁気共鳴画像診断法（以下、ＭＲＩと称する）を用いる「インターベンショナルＭＲＩ」は、放射線被曝をすることがない、任意多方向からの断層画像が優れた組織分解能で得られる、血流、拡散、温度等の機能的情報が得られるなどの特徴から、その有用性が高く評価され、臨床応用に向けた研究が進められている。
【０００４】
インターベンショナルＭＲＩが対象とする領域は、経皮的穿刺生検術、各種ドレナージ術、腫瘍焼灼術などの非血管領域から、血管形成術、ステント留置術、下大動脈フィルター留置術などの血管領域まで多岐にわたっており、それにともなって各手技に応じた多様な医療器具が用いられる。これらの医療器具は、ＭＲＩの強磁場環境において使用されることから、診断や治療のための目的機能のみでなく、ＭＲＩ下における視認性および適合性を有することが必要である。したがって、インターベンショナルＭＲＩに用いる医療器具の開発においては、ＭＲＩ下における視認性および適合性の評価が要求される。ＭＲＩ下における医療器具の視認性および適合性評価の初期段階では、ファントムを用いた生体外での評価が行われる（例えば、非特許文献１参照）。
【先行技術文献】
【非特許文献】
【０００５】
【非特許文献１】JOURNAL Of MAGNETIC RESONANCE IMAGING 23:145-155,2006
【発明の開示】
【発明が解決しようとする課題】
【０００６】
血管領域でのインターベンショナルＭＲＩで使用されるカテーテルやガイドワイヤーなどの医療器具は、血流中での使用を想定した流体ファントムを用いて評価を行う必要がある。そのため、カテーテルやガイドワイヤーなどの医療器具開発においては、医療器具およびそれを模したチューブやワイヤー等の長尺部材を流体中に設置でき、かつＭＲＩ下で使用可能な流体ファントムが望まれていた。
【０００７】
そこで、本発明は、上記の問題点に鑑みなされたものであって、チューブやワイヤー等の長尺状の試料の、流体中における画像の視認性および適合性の評価を可能にできる試験器具、流体ファントム装置および試験方法を提供することを目的とする。
【課題を解決するための手段】
【０００８】
上記課題を解決するために、本発明の試験器具は、長尺状の試料における流体中の画像評価を行う流体ファントム装置に用いられる試験器具であって、前記試料が内部に収容され、一方から流入された流体を他方側から流出する容器本体と、前記容器本体の両端にそれぞれ設けられ、前記容器本体と前記容器本体の両側に位置する流路間をシールするシール部材と、前記シール部材に対応して設けられ、前記容器本体内で前記容器本体と接触しないように前記試料を固定する固定部と、を有することを特徴とする。
【０００９】
本発明によれば、容器本体内において容器本体を接触しないように試料を固定することができるため、カテーテルやガイドワイヤーなどの医療器具およびそれを模したチューブやワイヤー等の長尺状の試料の、流体中における画像の視認性および適合性の評価を可能にできる。
【００１０】
上記発明において、前記固定部は、一端側に設けられ前記容器本体の断面中央付近で前記試料の一端を保持する保持部と、他端側に設けられ前記シール部材に設けられた開口に挿入される挿入部とを有する。本発明によれば、長尺状の試料を容器本体の断面中央付近で固定することができるため、試料の流体中における画像の視認性および適合性の評価を正確に行うことができる。また、シール部材を利用することによって部品点数を少なくすることができる。
【００１１】
上記発明において、前記固定部は、前記容器本体内に挿入され、前記容器本体の内側形状に合わせた形状を持つ固定部本体と、前記固定部本体に設けられ、前記容器本体の断面中央付近において前記試料の一端を保持する保持部と、前記固定部本体に設けられ、前記流体が通過し易いように形成された開口とを有する。本発明によれば、長尺状の試料を容器本体の断面中央付近で固定することができるため、長尺状の試料の流体中におけるＭＲＩ視認性および適合性の評価を正確に行うことができる。また、固定部はシール部材とは独立しているため試料が外部の影響を受けにくくできる。
【００１２】
上記発明において、前記長尺状の試料は、チューブ状の形状を有し、前記保持部は、前記チューブ状の試料の一端に挿入され、先端に向かって先細りのテーパー形状を有することを特徴とする。本発明によれば、カテーテルのようなチューブ状の形状を有する試料を容器本体内に固定することができる。
【００１３】
前記長尺状の試料は、ワイヤー状の形状を有し、前記保持部は、前記ワイヤー状の試料の一端が挿入される開口穴を有することを特徴とする。本発明によれば、ガイドワイヤーのようなワイヤー状の形状を有する長尺部材を容器本体内に固定することができる。
【００１４】
本発明の流体ファントム装置は、磁気共鳴画像診断装置における画像評価を行うための流体ファントム装置であって、上記試験器具と、前記試験器具に送り込む流体を貯留するタンクと、前記タンクから前記試験器具内の送り込む流体を制御する制御部と、を有することを特徴とする。
【００１５】
本発明は、流体ファントム装置を用いた長尺状の試料の流体中における画像評価を行う試験方法であって、前記試料が内部に収容され、一方から流入された流体を他方側から流出する容器本体と、前記容器本体の両端にそれぞれ設けられ、前記容器本体と前記容器本体の両側に位置する流路間をシールするシール部材と、前記シール部材に対応して設けられ、前記容器本体内で前記容器本体と接触しないように前記試料を固定する固定部とを有する試験器具を用いることを特徴とする。
【発明の効果】
【００１６】
本発明によれば、カテーテル等の長尺状の試料の流体中における視認性や適合性などの各種評価を行うことができる試験器具、流体ファントム装置および試験方法を提供できる。
【図面の簡単な説明】
【００１７】
【図１】本発明の実施形態に係るファントム装置の構成を示す図である。
【図２】本実施形態に係る水槽内を説明する図である。
【図３】本発明の実施形態に係る試験器具を説明する図である。
【図４】本発明の実施形態に係る試験器具の変形例を示す図である。
【図５】本発明の実施形態に係る試験器具の変形例を示す図である。
【図６】本発明の実施形態に係る試験器具の変形例を示す図である。
【発明を実施するための最良の形態】
【００１８】
以下、本発明に係る好適な実施の形態について、図面を参照しながら詳細に説明する。
【００１９】
以下、本発明の医療用器具を添付図面に示す好適構成例に基づいて詳細に説明する。図１は、本発明の実施形態に係る流体ファントム装置の全体構成を示す図である。この流体ファントム装置１は、磁気共鳴画像診断装置における画像評価を行うためのものである。より詳細には、この流体ファントム装置１は長尺状の試料の流体中における画像評価を行う試験方法に用いられる。
【００２０】
図１に示すように、流体ファントム装置１は、水槽３、タンク４、ポンプ５、流量コントローラー６、流量計７、コック８、９、流路１０、ガントリー２０によって構成されている。参照符号Ａはシールドルームからなる試験室を示している。
【００２１】
ガントリー２０は、被写体を挿入して核磁気共鳴映像を行うもので、ガントリー２０の内部には、被写体の周囲に均一な静磁場を発生させる主コイル２１と、被写体への高周波パルス（ＲＦパルス）の発信およびＦＩＤ信号（Ｆｒｅｅ  Ｉｎｄｕｃｔｉｏｎ  Ｄｅｃａｙ：自由誘導減衰）の検出を行うＲＦコイル２２と、ＦＩＤ信号の発信源の３次元位置情報を得るための傾斜磁場パルスを発生する傾斜磁場発生コイル２３とがセットされている。
【００２２】
タンク４内には、生理食塩水、水、血液などの流路１０を循環する流体が入れられている。流量コントローラー６は、流量計７の流量に応じてポンプ５を制御することによってタンク４から水槽３内に生理食塩水を循環させる。ポンプ５はエアによって自動で駆動するもの、電動で駆動するものや手動で駆動させるものが用いられる。水槽３内には、後述する試験器具（流体ファントム）２が取り付けられている。水槽３内の試験器具２を取り替えるときにはコック８、９によって水槽３への流れを止めることによって試験器具２を取り替えることができる。
【００２３】
図２は、本実施形態に係る水槽３内を説明する図である。図２に示すように、水槽３には、蓋体３ａと中間ホース１０ａの固定部材３ｂが設けられており、固定部材３ｂによって中間ホース１０ａがスライド可能に保持されている。この中間ホース１０ａの一方の接続部１０ｂには、流路となるホース１０が接続され、他方の接続部１０ｃには、試験器具２が接続される。この中間ホース１０ａをスライドさせることによって試験器具２を水槽３内に取り付けることができる。
【００２４】
試験器具２は、血管領域でのインターベンショナルＭＲＩで使用されるカテーテルやガイドワイヤーなどの医療器具およびそれを模したチューブやワイヤー等の長尺状の試料３０の、流体中における画像評価を行うために用いられるものである。試験器具２内の流体の温度は例えば３７度程度に保つのが好ましい。
【００２５】
試料３０は、長尺部材であればどのようなものでもよく、例えばチューブ、ロッドなどが好適に例示できる。試料３０を構成する材料はとくに限定されないが、金属、ポリマーおよび無機化合物などが例示できる。これらは単独または２つ以上の材料からなる複合材料でもよい。また、医療器具として、血管内で使用されるカテーテルやガイドワイヤー類を好適に例示できるが、これに限定されるものではない。
【００２６】
試験器具２は、容器本体３１とシール部材３２、３３と固定部としての試料固定用ピン３５、３６とから構成されている。容器本体３１は、チューブやワイヤー等の長尺状の試料３０が内部に収容されており、一方から流入された流体を他方側から流出するよう構成されている。この容器本体３１の形状は、とくに限定されないが、円筒径のものが好適に用いられる。材料は、プラスチック製のパイプが好ましく、とくにポリカーボネートなどの透明性を有するプラスチックが内部の試料の様子を確認できるため、好ましい。
【００２７】
シール部材３２、３３は、容器本体３１の両端にそれぞれ設けられており、容器本体３１と容器本体３１の両側に位置する流路間をシールするものである。試料固定用ピン３５、３６は、シール部材３２、３３に対応して設けられており、容器本体３１内で容器本体３１と接触しないように試料３０を固定する。
【００２８】
試験器具２に用いられる部材は、ＭＲＩの撮像および画像に影響を及ぼさない材料を用いる。材料の例としては、非磁性体を挙げることができ、好ましくはポリマーからなるプラスチックおよびゴム、ガラス等の無機材料、チタンなどの非磁性金属である。一方、磁性体は、ＭＲＩのガントリーに引き寄せられたり、発熱したりすることがあり、危険である。また、磁場の不均一や画像のアーチファクトの原因となるため、本発明の試験器具に用いる材料として好ましくない。ここで、磁性体とは磁石に引きつけられる物質、非磁性体とは、磁石に引きつけられない物質をさす。
【００２９】
次に、試験器具について具体的に説明する。図３は、本発明の実施形態に係る試験器具を説明する図である。同図において、（ａ）は容器本体３１にシール部材３２、３３を装着する状態を示す図、（ｂ）はチューブ状の試料３０に試料固定用ピン３５、３６を装着する状態を示す図、（ｃ）は固定用ピン３５の正面図、（ｄ）は組み立てられた試験器具２を示す図である。ここでは、カテーテルのようなチューブ状の形状を持つ試料３０を用いる場合の例について説明する。
【００３０】
図３（ａ）に示すように、シール部材３２には、容器本体３１内への流体の流入出を行う開口３２ａと、容器本体３１の形状に合わせた環状のフランジ３２ｂと、筒状の本体部分に設けられ試料固定用ピン３５が挿入される開口３２ｃとが形成されている。
【００３１】
同様に、シール部材３３には、容器本体３１内への流体の流入出を行う開口３３ａと、容器本体３１の形状に合わせた環状のフランジ３３ｂと、筒状の本体部分に設けられ試料固定用ピン３６が挿入される開口３３ｃとが形成されている。そして、容器本体３１にシール部材３２が装着され、次いでシール部材３３が装着される。
【００３２】
図３（ｂ）（ｃ）に示すように、試料固定用ピン３５の一端側には先端に向かって先細りのテーパー形状を有する保持部３５ａが設けられており、この保持部３５ａが中空構造を有するチューブ状の試料３０の一端の中空３０ａ内に挿入され、容器本体３１の断面中央付近で試料３０の一端を保持する。保持部３５ａをテーパー形状とすることによって、接着剤を用いることなく試料を固定できるだけでなく、試料の交換を容易に行うことができる。
【００３３】
試料固定用ピン３５の他端側には挿入部３５ｂが設けられており、シール部材３２に設けられた開口３２ｃに挿入される。
【００３４】
同様に、試料固定用ピン３６の一端側には、先端に向かって先細りのテーパー状の保持部３６ａが設けられており、この保持部３６ａがチューブ状の試料３０の他端に挿入され、容器本体３１の断面中央付近で試料３０の他端を保持する。試料固定用ピン３６の他端側には、挿入部３６ｂが設けられており、この挿入部３６ｂはシール部材３３に設けられた開口３３ｃに挿入される。
【００３５】
同図（ｄ）に示すように、容器本体３０にシール部材３２、３３を装着した状態から試料固定用ピン３５、３６を装着した試料３０を開口３２ａ又は３３ａから挿入して、試料固定用ピン３５、３６の挿入部３５ｂ、３６ｂをそれぞれシール部材３５、３６の開口３５ｂ、３６ｂに挿入することで、試験器具２が組み立てられる。
【００３６】
このように、試料固定用ピン３５、３６を用いることにより、ＭＲＩ撮像において、画像に試料内腔に残存する空気に由来するアーチファクトが生じ、評価に支障をきたす場合があるが、試料固定時に試料内腔に流体に用いる液体を充填した後に試料固定用ピン３５、３６を両端から挿入することによって、空気の混入を防ぐことができる。
【００３７】
また、試料３０は、容器本体３１内の試料室の中央に設置されることが好ましい。試料３０が試料室壁に接触または接近した状態であると、接触部で画像が不鮮明となったり、試料室壁に由来する画像の歪みが発生したりする場合があり、試料の評価に影響をきたすことがある。試料固定用ピン３５、３６によって、試料３０を試料室の中央に設置でき、試料室内に流体を導入することができ、かつその流れを極力妨げない形状とすることが好ましい。
【００３８】
図４は、本発明の実施形態に係る試験器具の変形例を示す図である。同図において、（ａ）は容器本体３１にシール部材３２、３３を装着する状態を示す図、（ｂ）はワイヤー状の試料４０に試料固定用ピン４５、４６を装着する状態を示す図、（ｃ）は試料固定用ピン４５の正面図、（ｄ）は組み立てられた試験器具２Ａを示す図である。ここでは、ガイドワイヤーのようなワイヤー状の形状を持つ試料を用いた場合の例について説明する。
【００３９】
図４（ｂ）（ｃ）に示すように、試料固定用ピン４５の一端側には保持部４５ａが設けられており、この保持部４５ａにはワイヤー状の試料４０の一端が挿入される開口穴４５ｃが形成されており、開口穴４５ｃに試料４０の一端を挿入することで容器本体３１の断面中央付近で試料４０の一端を保持する。また、試料固定用ピン４５の他端側には挿入部４５ｂが設けられており、この挿入部４５ｂがシール部材３２に設けられた開口３２ｃに挿入される。
【００４０】
同様に、試料固定用ピン４６の一端側には保持部４６ａが設けられており、この保持部４６ａにはワイヤー状の試料４０の他端が挿入される開口穴４６ｃが形成され、試料４０の他端が開口穴４６ｃに挿入されることで、容器本体３１の断面中央付近で試料４０の他端を保持する。試料固定用ピン４６の他端側には挿入部４６ｂが設けられており、この挿入部４６ｂがシール部材３３に設けられた開口３３ｃに挿入される。
【００４１】
図５は、本発明の実施形態に係る試験器具の変形例を示す図である。同図において、（ａ）はチューブ状の試料３０に固定部５５、５６を装着する状態を示す図、（ｂ）は固定部５５の正面図、（ｃ）は（ｂ）のＡ−Ａ断面図、（ｄ）は容器本体３１にシール部材５２、５３を装着する状態を示す図、（ｅ）は組み立てられた試験器具２Ｂを示す図である。ここでは、カテーテルのようなチューブ状の形状を持つ試料を用いる場合の例を説明する。
【００４２】
図５（ａ）〜（ｃ）に示すように、固定部本体５５ａは、容器本体３１内に挿入され、容器本体３１の内側形状に合わせた形状を持つ。
【００４３】
固定部本体５５ａには先端に向けて先細りのテーパー形状を有する保持部５５ｂが設けられており、この保持部５５ｂが試料３０の開口３０ａに挿入されて容器本体３１の断面中央付近において試料３０の一端を保持するよう構成されている。また、固定部本体５５ａには補強部５５ｃが設けられていており、この補強部５５ｃの間には、流体が通過し易いように開口５５ｄが形成されている。
【００４４】
同様に、固定部本体５６ａは、容器本体３１内に挿入され、容器本体３１の内側形状に合わせた形状を持つ。固定部本体５６ａには先端に向けて先細りのテーパー形状を有する保持部５６ｂが設けられており、この保持部５６ｂが試料３０の開口３０ａに挿入されて容器本体３１の断面中央付近において試料３０の一端を保持するよう構成されている。
【００４５】
固定部本体５６ａには、流体が通過し易いように形成された開口が形成されている。また、固定部本体５６ａには補強部５６ｃが設けられていており、この補強部５６ｃの間には、流体が通過し易いように開口５６ｄが形成されている。
【００４６】
同図（ｄ）に示すように、シール部材５２には、開口５２ａとフランジ５２ｂと環状に設けられたシールリング５２ｃが設けられている。同様に、シール部材５３には、開口５３ａとフランジ５３ｂとシールリング５３ｃとが設けられている。
【００４７】
同図（ａ）〜（ｅ）に示すように、試料３０に固定部５５、５６を装着し、これを容器本体３１内に挿入し、次に、シール部材５２、５３を装着することによって試験器具２Ｂが組み立てられる。
【００４８】
図６は、本発明の実施形態に係る試験器具の変形例を示す図である。同図において、（ａ）はワイヤー状の試料４０に固定部６５、６６を装着する状態を示す図、（ｂ）は固定部６５の正面図、（ｃ）は（ｂ）の断面図、（ｄ）は容器本体３１にシール部材５２、５３を装着する状態を示す図、（ｅ）は組み立てられた試験器具２Ｃを示す図である。ここでは、ガイドワイヤーのようなワイヤー状の形状を持つ試料を用いた場合の例について説明する。
【００４９】
図６（ａ）〜（ｃ）に示すように、固定部６５には固定部本体６５ａが設けられており、この固定部本体６５ａは、容器本体３１内に挿入され、容器本体３１の内側形状に合わせた形状を持つ。
【００５０】
固定部本体６５ａには、開口からなる保持部６５ｂと補強部６５ｃが設けられており、この保持部６５ｂに試料４０の一端が挿入されて、容器本体３１の断面中央付近において試料４０の一端を保持することができる。固定部本体６５ａには、流体が通過し易いように形成された開口６５ｄが形成されている。
【００５１】
同様に、固定部６６には固定部本体６６ａが設けられており、この固定部本体６６ａは、容器本体３１内に挿入され、容器本体３１の内側形状に合わせた形状を持つ。固定部本体６６ａには開口からなる保持部６６ｂと補強部６６ｃが設けられており、この保持部６６ｂに試料４０の他端が挿入され、容器本体３１の断面中央付近において試料４０の一端を保持するよう構成されている。固定部本体６６ａには、流体が通過し易いように形成された開口６６ｄが形成されている。
【００５２】
同図（ａ）〜（ｅ）に示すように、試料４０に固定部６５、６６を装着し、これを容器本体３１内に挿入し、次に、シール部材５２、５３を装着することによって試験器具２Ｃが組み立てられる。
【００５３】
次に、本発明の実施例について説明する。本実施例では流体ファントム装置１を用いて長尺状の試料の流体中における画像評価の試験を行った。
【実施例】
【００５４】
図１〜図３に示したように、試料３０は、ウレタン製チューブ（外径１．５５ｍｍ、内径１．１０ｍｍ）を用いた。試料３０を長さ約７０ｍｍに切断し、容器本体３１内の試料３０の内腔に生理食塩水を充填した。試料３０両端に試料固定用ピン３５、３６を、向きをそろえて挿入し、容器本体３１としてのプラスチック（ポリカーボネート樹脂）パイプ（内径１８ｍｍ）の両端に取り付けられたシール部材３２、３３としてのジョイント部の開口３２ｃ、３３Ｃに試料固定用ピン３５、３６の保持部３５ｂ、３６ｂを差し込んで固定し、試験器具２とする。
【００５５】
上記で試料３０を固定した試験器具２の両端を、中間ホース１０ａの一端１０ｃと接続し、他端１０ｂを流路１０としての配管用チューブ（テフロン（登録商標）ブレードチューブ、内径２０ｍｍ）に接続した。パイプの全体を、生理食塩水を満たした水槽３としてのチャンバーに浸漬した。プラスチック製リザーバータンク４に生理食塩水約５Ｌをいれ、配管用チューブ１０内およびプラスチックパイプ３１内に連続流にて循環させた。流速は、ポンプ５に接続されたスライダックを調節することにより、５Ｌ／ｍｉｎに制御した。
【００５６】
ＭＲＩ装置は、ＧＥヘルスケア社製１．５Ｔ  ＭＲＩ「Ｓｉｇｎａ  ＥＸＣＩＴＥ  ＴｗｉｎＳｐｅｅｄ  １．５Ｔ  Ｖｅｒ．１１」を用い、撮像コイルはＳｔａｎｄａｒｄ  Ｈｅａｄ  Ｃｏｉｌ（Ｂｉｒｄｃａｇｅ）にて、スピンエコーシーケンス（ＦＳＥ−ＸＬ）で撮像を行った。
【００５７】
その結果、本発明の流体ファントムは良好に動作し、駆動部から発生するノイズによる画像への影響はみられなかった。
【００５８】
本発明の試験器具とそれを用いた流体ファントム装置によれば、血管領域でのインターベンショナルＭＲＩで使用されるカテーテルやガイドワイヤーなどの医療器具およびそれを模したチューブやワイヤー等の長尺部材の、流体中におけるＭＲＩ視認性および適合性を評価できた。
【００５９】
また、試料を容器本体の断面中央付近で固定することができるため、長尺部材の流体中におけるＭＲＩ視認性および適合性の評価を正確に行うことができる。
【００６０】
以上、本発明の好ましい実施形態について詳述したが、本発明は上述した実施形態に限定されるものではなく、特許請求の範囲に記載された本発明の要旨の範囲内において、種々の変形、変更が可能である。
【符号の説明】
【００６１】
１  ファントム装置
２、２Ａ、２Ｂ、２Ｃ  試験器具
３  水槽
２０  ガントリー
３０、４０  試料
３１  容器本体
３２、３３、５２、５３  シール部材
３５、３６、４５、４６  試料固定用ピン
５５、５６、６５、６６  固定部
【図１】
2011139807.tif 000003
【図２】
2011139807.tif 000004
【図３】
2011139807.tif 000005
【図４】
2011139807.tif 000006
【図５】
2011139807.tif 000007
【図６】
2011139807.tif 000008